(57)【特許請求の範囲】
【請求項１】
雄部材Ａと、この雄部材Ａが差込係合する雌部材Ｂとを備え、
前記雄部材Ａは、紐状部材を取り付け可能な基部１０と、この基部１０から突出形成された一対の脚部２０と、この各脚部２０の先端表裏面に突出して設けられた係合部２５とを有し、
前記雌部材Ｂは、表壁４０Ａ、裏壁４０Ｂおよびこれらを連結する側壁４０Ｃを有するとともに、前記雄部材Ａが差し込まれる差込口４２およびこの差込口４２から差し込まれた雄部材Ａの脚部２０を収容する収容空間４３を有する筒状の雌部材本体４０と、この雌部材本体４０の収容空間４３内の前記表壁４０Ａおよび裏壁４０Ｂに形成され前記雄部材Ａの前記係合部２５が係合する被係合部４６と、前記収容空間４３内に形成され前記係合部２５を前記被係合部４６に案内するガイド溝４７とを有するバックルにおいて、
前記ガイド溝４７は、前記表壁４０Ａおよび裏壁４０Ｂのそれぞれの内面に、前記差込口４２から前記被係合部４６に向かうに従って溝幅が次第に狭くなるように形成され、
前記雌部材Ｂの前記差込口４２には、前記雄部材Ａの係合部２５と当接して、この係合部２５を前記ガイド溝４７に誘導する誘導部６１が形成され、
前記誘導部６１は、前記表壁４０Ａおよび裏壁４０Ｂの前記差込口４２側端面において、前記ガイド溝４７を挟んだ両側端面に形成され、この両側端面に形成された前記誘導部６１の間隔が前記差込口４２側端面から前記ガイド溝４７に向かうに従って次第に狭くなる形状に形成され、
前記表壁４０Ａの内面に形成された前記ガイド溝４７の溝底と前記裏壁４０Ｂの内面に形成された前記ガイド溝４７の溝底との間の寸法をＨ１、前記表壁４０Ａの前記差込口４２側に形成された前記誘導部６１から前記裏壁４０Ｂの前記差込口４２側に形成された前記誘導部６１までの寸法をＨ２、前記脚部２０の先端表裏面にそれぞれ突出して設けられた表面側係合部２５と裏面側係合部２５との先端間の寸法をＨ３としたとき、
Ｈ２＜Ｈ３＜Ｈ１
の関係に形成されている、ことを特徴とするバックル。
【請求項２】
前記雌部材Ｂと前記雄部材Ａとは、突き合わせ面によって嵌合され、
前記雌部材Ｂの突き合わせ面は、前記差込口４２から雄部材Ａの差込方向へＵまたはＶ字形状に窪んだ拡開部４２Ａを有し、この拡開部４２Ａの中央に前記ガイド溝４７が形成され、かつ、両側に前記誘導部６１が形成され、
前記雄部材Ａの突き合わせ面は、前記拡開部４２Ａに嵌合する突出部１４を有している、ことを特徴とする請求項１に記載のバックル。
【発明の詳細な説明】
【技術分野】
【０００１】
本発明は、雄部材と雌部材とを備えたバックルに関する。詳しくは、１本の紐状部材の両端、あるいは、２本の紐状部材同士を連結、分離するために用いられるバックルに関する。
【背景技術】
【０００２】
１本の紐状部材の両端、あるいは、２本の紐状部材同士を連結、分離する手段として、バックルが利用されている。
例えば、特許文献１では、雄部材と、筒状の雌部材とを備えた接続具が提案されている。雄部材には、一対の屈伸部が差込方向へ突出され、この屈伸部に突起が形成されている。雌部材には、雄部材が差し込まれる開口部から内部空洞に向けて、案内溝が上壁および下壁の内面に沿ってテーパ溝状に形成され、その案内溝の奥部に雄部材の突起が係合する切込みが形成されている。
雄部材の突起を雌部材の上下の案内溝に合わせ、雄部材を雌部材に差し込むと、突起が案内溝のテーパ溝に沿って進むため、屈伸部が内側へ弾性変形される。やがて、所定位置まで差し込まれると、突起が切込みに落ちて係合されるため、雄部材が雌部材に係合される。
【０００３】
この接続具では、雌部材の案内溝方向に対して、雄部材を斜めに差し込むと、雄部材の突起が雌部材の上下の案内溝に合わないため、雄部材が途中でつかえたりする等の問題が発生しやすい。そのため、雄部材を雌部材に正しく差し込むには、雄部材の突起を雌部材の上下の案内溝に正しく合わせなくてはならないため、雄部材の差込操作が煩わしいという問題がある。
【０００４】
このような問題を解消できる構造を備えたバックルとして、特許文献２に記載のバックルが知られている。
これは、雄部分と雌部分とを備える。雄部分は、基部と、この基部から同方向へ突出され先端にロック用タブを有する２つのロックアームと、このロックアームの間でこれらロックアームと同方向へ略三角形状に突出成形されたＶ字状中央部分とを有する。雌部分は、筒状の中空状本体部を有し、この中空状本体部には、雄部分のロック用タブが係合するロック用端部が形成されているとともに、雄部分のＶ字状中央部分が嵌り込むＶ字状溝が差込口から奥部へ向かって切り欠かれている。
【０００５】
雄部分を雌部分に差し込むと、２つのロックアームが内側へ弾性変形されながら挿入されるとともに、雄部分のＶ字状中央部分が雌部分のＶ字状溝に差し込まれる。このとき、雌部分の筒方向軸線に対して、雄部材の差込方向が斜めに差し込まれると、雄部分のＶ字状中央部分が雌部分のＶ字状溝の溝壁に当接し、このＶ字状溝の溝壁に沿って差し込まれるため、雄部分の姿勢が矯正される。つまり、雌部分の筒方向軸線に対して、雄部材の差込方向が平行になるように雄部材の姿勢が矯正される。そのため、雌部分の筒方向軸線に対して、雄部材の差込方向が斜めに差し込まれた場合でも、雄部分を雌部分に差し込むことができる。
【０００６】
【特許文献１】特許第３７９００９４号公報
【特許文献１】特開２００６−２０４９１１号公報
【発明の開示】
【発明が解決しようとする課題】
【０００７】
特許文献２に記載のバックルでは、雄部分の幅方向中央位置に形成したＶ字状中央部分と、雌部分の幅方向中央位置に形成したＶ字状溝とで、雄部分の挿入姿勢を矯正する構造であるため、雄部分がある程度雌部分に差し込まれるまでは、雄部分のＶ字状中央部分が雌部分のＶ字状溝の溝壁に当接しないため、姿勢矯正機能は働かない。
従って、雌部分の筒方向軸線に対して、雄部材の差込方向が極端に斜めに差し込まれた場合、姿勢矯正機能が機能せずに途中でつかえてしまう場合も考えられる。このような場合、雄部分を雌部分から引き抜いて、再度、差込操作をしなければならないので、差込操作にあたって注意を必要とする。
【０００８】
本発明の目的は、このような課題を解決し、雄部材を雌部材に対して、途中でつかえることなく確実に差込操作できるバックルを提供することにある。
【課題を解決するための手段】
【０００９】
本発明のバックルは、雄部材と、この雄部材が差込係合する雌部材とを備え、前記雄部材は、紐状部材を取り付け可能な基部と、この基部から突出形成された一対の脚部と、この各脚部の先端表裏面に突出して設けられた係合部とを有し、前記雌部材は、表壁、裏壁およびこれらを連結する側壁を有するとともに、前記雄部材が差し込まれる差込口およびこの差込から差し込まれた雄部材の脚部を収容する収容空間を有する筒状の雌部材本体と、この雌部材本体の収容空間内の前記表壁および裏壁に形成され前記雄部材の前記係合部が係合する被係合部と、前記収容空間内に形成され前記係合部を前記被係合部に案内するガイド溝とを有するバックルにおいて、前記ガイド溝は、前記表壁および裏壁のそれぞれの内面に、前記差込口から前記被係合部に向かうに従って溝幅が次第に狭くなるように形成され、前記雌部材の前記差込口には、前記雄部材の係合部と当接して、この係合部を前記ガイド溝に誘導する誘導部が形成され、前記誘導部は、前記表壁および裏壁の前記差込口側端面において、前記ガイド溝を挟んだ両側端面に形成され、この両側端面に形成された前記誘導部の間隔が前記差込口側端面から前記ガイド溝に向かうに従って次第に狭くなる形状に形成され、前記表壁４０Ａの内面に形成された前記ガイド溝４７の溝底と前記裏壁４０Ｂの内面に形成された前記ガイド溝４７の溝底との間の寸法をＨ１、前記表壁４０Ａの前記差込口４２側に形成された前記誘導部６１から前記裏壁４０Ｂの前記差込口４２側に形成された前記誘導部６１までの寸法をＨ２、前記脚部２０の先端表裏面にそれぞれ突出して設けられた表面側係合部２５と裏面側係合部２５との先端間の寸法をＨ３としたとき、
Ｈ２＜Ｈ３＜Ｈ１
の関係に形成されている、ことを特徴とする。
【００１０】
この構成によれば、雄部材の一対の脚部を雌部材の差込口から収容空間内に差し込む。このとき、雌部材の軸線（ガイド溝が延びる方向の軸線）に対して、雄部材の差込方向がずれていると、例えば、雌部材の軸線に対して、雄部材の差込方向軸線が一致していないか、あるいは、雄部材の差込方向が傾いていると、雄部材の一対の脚部の先端表裏面に突出して設けられた係合部が、雌部材の差込口に形成された誘導部に当接される。すると、この誘導部によって、係合部が雌部材に設けられたガイド溝に誘導される。つまり、雌部材の軸線に対して、雄部材の差込方向が一致するように、雄部材の姿勢が矯正される。
このまま雄部材を雌部材に差し込んでいくと、係合部は、ガイド溝によって被係合部まで案内され、その被係合部に係合される。従って、雌部材の軸線に対して、雄部材の差込方向がずれていても、雄部材を雌部材に対して、途中でつかえることなく確実に差込操作できる。
【００１１】
また、誘導部が、ガイド溝を挟んだ差込口の両側端面に形成されているから、雄部材の差込方向が、雌部材の軸線に対して幅方向へずれても、あるいは、雌部材の軸線に対して幅方向のいずれの方向へ傾いて差し込まれても、雄部材の係合部が雌部材の差込口両側端面に形成された誘導部に当接するので、これらの誘導部によって雄部材の係合部をガイド溝に正しく誘導することができる。
【００１３】
また、雌部材本体を構成する表壁および裏壁のそれぞれの内面にガイド溝が形成され、このガイド溝が開口する表壁および裏壁の差込口両側端面に誘導部が形成され、この両側端面に形成された誘導部の間隔が差込口側の端面からガイド溝に向かうに従って次第に狭くなるように形成されているから、雄部材の差込方向が、雌部材の軸線に対してずれた状態で差し込まれても、そのまま押し込めば、雄部材を雌部材に正しく差し込むことができる。
つまり、雄部材の差込方向が、雌部材の軸線に対してずれた状態で差し込まれると、雄部材の係合部が雌部材の差込口両側端面に設けられた誘導部に当接される。すると、これらの両側の誘導部の間隔が差込口側の端面からガイド溝に向かうに従って次第に狭くなる形状に形成されているから、そのまま押し込むと、係合部が誘導部に沿ってガイド溝方向へ導かれるから、差込操作が極めて容易に行える。
【００１４】
また、前記表壁の内面に形成されたガイド溝の溝底と前記裏壁の内面に形成されたガイド溝の溝底との間の寸法をＨ１、前記表壁の前記差込口側に形成された前記誘導部から前記裏壁の前記差込口側に形成された前記誘導部までの寸法をＨ２、前記脚部の先端表裏面にそれぞれ突出して設けられた表面側係合部と裏面側係合部との先端間の寸法をＨ３としたとき、
Ｈ２＜Ｈ３＜Ｈ１
の関係に形成されている。
【００１５】
従って、まず、表壁の差込口側に形成された誘導部から裏壁の差込口側に形成された誘導部までの寸法Ｈ２が、脚部の先端表裏面にそれぞれ突出して設けられた表面側係合部と裏面側係合部との先端間の寸法Ｈ３より小さい寸法に形成されているから、雄部材の差込方向が、雌部材の軸線に対してずれた状態で差し込まれると、係合部が誘導部に確実に当接される。
このまま押し込むと、係合部は誘導部にならってガイド溝へ誘導される。このとき、脚部の先端表裏面にそれぞれ突出して設けられた表面側係合部と裏面側係合部との先端間の寸法Ｈ３が、表壁の内面に形成されたガイド溝の溝底と裏壁の内面に形成されたガイド溝の溝底との間の寸法Ｈ１より小さい寸法に形成されているから、係合部をガイド溝に確実に案内、挿入できる。
【００１６】
本発明のバックルにおいて、前記雌部材と前記雄部材とは、突き合わせ面によって嵌合され、前記雄部材の突き合わせ面は、前記差込口から雄部材の差込方向へＵまたはＶ字形状に窪んだ拡開部を有し、この拡開部の中央に前記ガイド溝が形成され、かつ、両側に前記誘導部が形成され、前記雄部材の突き合わせ面は、前記拡開部に嵌合する突出部を有している、ことが好ましい。
【００１７】
この構成によれば、雌部材の突き合わせ面に拡開部が形成され、この拡開部の中央にガイド溝が、両側に誘導部が形成されているから、この拡開部を目安として、この拡開部に雄部材の脚部を差し込めば、脚部の係合部を拡開部によってガイド溝まで誘導させることができる。また、雄部材の突き合わせ面も、拡開部に嵌合する突出部に形成されているから、雄部材と雌部材との突き合わせ面を密着させた状態で、雄部材と雌部材とを係合させることができる。
【発明を実施するための最良の形態】
【００１８】
以下、本発明の一実施形態を図面を参照して説明する。
＜第１実施形態＞
図１は第１実施形態のバックルの分離状態を示す分解斜視図、図２は同バックルの分離状態を示す一部破断の平面図、図３は図２のIII−III線断面図、図４は同バックルの係合状態を示す一部破断の平面図、図５は雌部材に対して雄部材が傾いて差し込まれる状態を示す斜視図、図６は図５の状態を示す一部破断の平面図である。
【００１９】
（全体構成）
これらの図に示すように、第１実施形態のバックル１は、紐状部材の端部２，３を連結、分離するためのもので、合成樹脂によって一体成形された雄部材Ａと、同様に合成樹脂によって一体成形され雄部材Ａが差込係合される雌部材Ｂとを備えている。なお、雄部材Ａおよび雌部材Ｂの材料については、合成樹脂に限らず、金属などの他の材料でもよい。
【００２０】
（雄部材Ａ）
雄部材Ａは、基部１０と、この基部１０の幅方向（雄部材Ａの差込方向に直交する方向）両側から互いに平行に突出形成され雄部材Ａの差込方向に対して交差する方向（具体的には、略直交する方向）へ弾性変形可能な一対の脚部２０と、この脚部２０の間にこれらと平行に突設された１本の横ずれ規制片３０とを備えている。
基部１０は、内部中央部に紐状部材の端部２が挿入係止される紐取付部としての紐取付孔１１を有する枠フレーム１２と、この枠フレーム１２の脚部２０が突出形成された側から脚部２０と同方向へ突出成形された突出部１４とを含んで構成されている。  
紐取付孔１１の中間であって、枠フレーム１２の幅方向に連結杆１３が架橋され、この連結杆１３によって紐取付孔１１が、脚部２０が設けられた差込方向前端側とそれとは反対側の差込方向後端側の２つの紐取付孔１１Ａ，１１Ｂに分割されている。これにより、紐状部材を紐取付孔１１Ａ，１１Ｂに挿通させて連結杆１３の周囲に旋回させることにより、紐状部材の長さ調節が可能な構造になっている。
【００２１】
突出部１４は、一対の脚部２０の間にあって、基部１０の脚部２０が突出形成された側、つまり、雌部材Ｂとの突き合わせ面から脚部２０の突出方向に向かって突出形成されている。具体的には、差込方向前端縁が、指の先端輪郭形状に略合致するように、基部１０の幅方向両端部から中央に向かうに従って突出量が次第に大きくなる円弧状（より詳細には、放物線形状）に形成されている。
突出部１４の表面には、凹部１５が形成されている。凹部１５は、雄部材Ａの差込方向前端１５Ａと差込方向後端１５Ｂとを有し、前端１５Ａと後端１５Ｂとを接続する面（凹部１５の表面）が、後端１５Ｂの幅方向中央位置が最も低く、この最も低い位置から前端１５Ａに向けて次第に高くなる曲面形状（放物線形状）に形成されている。つまり、指の腹形状に合致する曲面形状に形成されている。
突出部１４の裏面にも、凹部１７が形成されている。凹部１７も、凹部１５の形状と同じである。
【００２２】
脚部２０は、基部１０の幅方向両側から雄部材Ａの差込方向に向かって直線状に延長され互いに接近または離間する方向へ弾性変形可能な弾性脚片２１と、この弾性脚片２１の先端から雄部材Ａの差込方向へ向かって延長されたガイド脚片２２とを有する。
弾性脚片２１は、弾性変形方向の寸法（幅寸法）が表裏方向寸法より小さい断面形状に形成されている。
ガイド脚片２２は、二股に分岐されたのち先端で結合する形状に形成されているとともに、その外側面が先端へ向けて内側、すなわち、各脚部２０が接近する方向へ傾斜して形成されている。
係合部２５は、ガイド脚片２２の先端表裏面に突出して形成された突起２５Ａによって構成されている。
【００２３】
横ずれ規制片３０は、突出部１４の先端から一対の脚部２０と平行に突出して形成されているとともに、表裏面中央に係合溝３２が横ずれ規制片３０の突出方向に沿って形成されている。
【００２４】
（雌部材Ｂ）
雌部材Ｂは、表裏面を構成する表壁４０Ａ、裏壁４０Ｂおよびこれらを連結する一対の側壁４０Ｃを有する扁平筒形状の雌部材本体４０を備える。
雌部材本体４０は、一端に雄部材Ａが差し込まれる差込口４２が形成され、他端に紐状部材の端部３が挿入係止される紐取付部４１が形成されているとともに、内部に雄部材Ａの脚部２０を収容する収容空間４３を有する。差込口４２を形成する表壁４０Ａおよび裏壁４０Ｂには、中央部分が内部へ向かって窪んだ円弧形状（放物線形状）で、雄部材Ａの突出部１４が入り込む拡開部４２Ａが形成されている。つまり、雄部材Ａの突出部１４と雌部材Ｂの拡開部４２Ａとが嵌合するように突き合わされる。紐取付部４１は、紐取付孔４１Ａおよび連結杆４１Ｂを含んで構成されている。
【００２５】
雌部材本体４０の表裏面には、紐取付孔４１Ａに隣接して、凹部５１，５２が形成されている。これらの凹部５１，５２も、雄部材Ａの凹部１５，１７と略同様な形状に形成されている。
収容空間４３の奥部両側壁には、図２および図４に示されているように、雄部材Ａの脚部２０を外表面に露出させる脚部用開口部４５が形成されている。脚部用開口部４５は、雌部材本体４０の周囲壁のうち、側壁４０Ｃから表壁４０Ａおよび裏壁４０Ｂの内部へ向かって凹曲面状に切り欠かれている。
【００２６】
脚部用開口部４５より収容空間４３の奥部であって、表壁４０Ａおよび裏壁４０Ｂの内面には、凹状の被係合部４６が設けられているとともに、各脚部２０に設けられた係合部２５を被係合部４６に案内するガイド溝４７が、拡開部４２Ａの両端を除く中央から被係合部４６にかけて形成されている。
ガイド溝４７は、拡開部４２Ａ（差込口４２）から被係合部４６に向かって溝幅寸法が次第に狭くなるように形成されている。これにより、脚部２０は、雌部材Ｂに差し込まれるに従って、差込方向に対して略直交する方向（内側）へ弾性変形されながら挿入されたのち、被係合部４６に係合される。また、表壁４０Ａおよび裏壁４０Ｂの内面には、横ずれ規制片３０の係合溝３２に嵌り合う突条４８が雄部材Ａの差込方向に沿って形成されている。
【００２７】
拡開部４２Ａの両側には、雄部材Ａの係合部２５と当接して、その係合部２５をガイド溝４７に誘導する誘導部６１が形成されている。つまり、差込口４２において、ガイド溝４７を挟んだ両側端面に誘導部６１が形成されている。
誘導部６１は、表壁４０Ａおよび裏壁４０Ｂの差込口４２側の端面、つまり、差込口４２の口縁において、ガイド溝４７を挟んだ両側端面に形成されている。ガイド溝４７を挟んだ両側の誘導部６１は、傾斜面状、つまり、雄部材Ａの差込方向へ向けて互いに接近するように傾斜して形成されている。換言すると、両側端面に形成された誘導部６１の間隔が差込口４２側の端面からガイド溝４７に向かうに従って次第に狭くなる形状、つまり、拡開部４２Ａの円弧あるいは放物線形状の一部を構成する形状に形成されている。
【００２８】
ここで、図３に示すように、表壁４０Ａの内面に形成されたガイド溝４７の溝底と裏壁４０Ｂの内面に形成されたガイド溝４７の溝底との間の寸法をＨ１、表壁４０Ａの差込口４２側に形成された誘導部６１から裏壁４０Ｂの差込口４２側に形成された誘導部６１までの寸法をＨ２、脚部２０の先端表裏面にそれぞれ突出して設けられた表面側係合部２５と裏面側係合部２５との先端間の寸法をＨ３としたとき、
Ｈ２＜Ｈ３＜Ｈ１
の関係に形成されている。
【００２９】
（作用・効果）
このような構成において、雄部材Ａを雌部材Ｂに係合させるには、まず、一方の手の親指と人差指とで雄部材Ａの表裏面をつまみ、他方の手の親指と人差指とで雌部材Ｂの表裏面をつまむ。
この際、雄部材Ａの表裏面には、基部１０から突出形成された突出部１４の表裏面に凹部１５，１７が形成されているから、これらの凹部１５，１７に親指および人差指をあてがえば、雄部材Ａの表裏面をつまんで操作する場合でも、つまみやすい。また、雌部材Ｂの表裏面にも、凹部５１，５２が形成されているから、他方の手の親指と人差指をあてがうことができるから、同様に、雌部材Ｂの表裏面をつかみやすい。
【００３０】
このようにして、雄部材Ａと雌部材Ｂとをつまんだのち、雄部材Ａを雌部材Ｂに差し込む。すると、脚部２０の先端に形成された係合部２５がガイド溝４７の内側に案内されながら差し込まれる。ガイド溝４７は雌部材Ｂの奥に向かって幅狭に形成されているから、脚部２０が内側へ弾性変形されながら差し込まれていく。
やがて、脚部２０の係合部２５が雌部材Ｂの被係合部４６を越える位置まで雄部材Ａが差し込まれると、内側に弾性変形されていた脚部２０が元の状態に弾性復帰するため（外側へ復帰するため）、脚部２０の係合部２５が雌部材Ｂの被係合部４６に係合される。
【００３１】
これにより、図４に示すように、雄部材Ａが雌部材Ｂに係合される。この状態においては、雌部材Ｂの拡開部４２Ａに雄部材Ａの突出部１４が嵌り込んた状態で、ほとんど隙間なく嵌合した状態になるため、がたつきも少ないうえ、意匠的にもすっきりとした印象が得られる。
【００３２】
しかも、この状態では、雌部材Ｂの突条４８が雄部材Ａの横ずれ規制片３０に形成された係合溝３２に嵌り込んでいるため、雄部材Ａが雌部材Ｂに対して幅方向へ移動するのが規制される。例えば、雄部材Ａの片方の脚部２０に、係合を人為的に解除する以外の外力（内側へ押圧する力）が加わると、横ずれ規制片３０が無い場合、雄部材Ａが幅方向他方側へ変位される。すると、他方の脚部２０の根本部分が雌部材Ｂの側壁４０Ｃに当接し、他方の脚部２０が内側へ弾性変形され、その結果、両脚部２０の先端に設けられた係合部２５が被係合部４６から外れて雄部材Ａが雌部材Ｂから外れてしまう事態も想定される。しかし、本実施形態によれば、雌部材Ｂの突条４８が雄部材Ａの横ずれ規制片３０に形成された係合溝３２に嵌り込んでいるため、雄部材Ａが雌部材Ｂに対して幅方向へ移動するのが規制され、雄部材Ａが雌部材Ｂから外れるのが防止される。
【００３３】
ところで、雄部材Ａを雌部材Ｂの差込口４２から収容空間４３内に差し込む際、雌部材Ｂの軸線（ガイド溝４７が延びる方向の軸線）に対して、雄部材Ａの差込方向がずれていると、例えば、雌部材Ｂの軸線に対して、雄部材Ａの差込方向軸線が一致していないか、あるいは、図５に示すように、雄部材Ａの差込方向が傾いていると、雄部材Ａの係合部２５が雌部材Ｂのガイド溝４７に一致しない。
このような状態では、雄部材Ａの一対の脚部２０の先端表裏面に突出して設けられた係合部２５が、雌部材Ｂの差込口４２に形成された誘導部６１に当接される。つまり、表壁４０Ａの差込口４２側に形成された誘導部６１から裏壁４０Ｂの差込口４２側に形成された誘導部６１までの寸法Ｈ２が、脚部２０の先端表裏面にそれぞれ突出して設けられた表面側係合部２５と裏面側係合部２５との先端間の寸法Ｈ３より小さい寸法に形成されているから、雄部材Ａの差込方向が、雌部材Ｂの軸線に対してずれた状態で差し込まれると、係合部２５が誘導部６１に当接される。
【００３４】
また、両側端面に形成された誘導部６１の間隔が差込口４２側の端面からガイド溝４７に向かうに従って次第に狭くなる形状に形成されているから、誘導部６１によって、係合部２５がガイド溝４７に誘導される。つまり、雌部材Ｂの軸線に対して、雄部材Ａの差込方向が一致するように、雄部材Ａの姿勢が矯正される。このとき、脚部２０の先端表裏面にそれぞれ突出して設けられた表面側係合部２５と裏面側係合部２５との先端間の寸法Ｈ３が、表壁４０Ａの内面に形成されたガイド溝４７の溝底と裏壁４０Ｂの内面に形成されたガイド溝４７の溝底との間の寸法Ｈ１より小さい寸法に形成されているから、係合部２５がガイド溝４７内に案内、挿入される。
従って、雌部材Ｂの軸線に対して、雄部材Ａの差込方向がずれていても、雄部材Ａを雌部材Ｂに対して、途中でつかえることなく確実に差込操作できる。
【００３５】
とくに、誘導部６１が、ガイド溝４７を挟んだ差込口４２の両側端面に形成されているから、雄部材Ａの差込方向が、雌部材Ｂの軸線に対して幅方向へずれていても、あるいは、雌部材Ｂの軸線に対して幅方向のいずれの方向へ傾いて差し込まれても、雄部材Ａの係合部２５が雌部材Ｂの差込口４２両側端面に形成された誘導部６１に当接するので、これらの誘導部６１によって雄部材Ａの係合部２５をガイド溝４７に誘導することができる。
【００３６】
また、雌部材Ｂの突き合わせ面に拡開部４２Ａが形成され、この拡開部４２Ａの中央にガイド溝４７が、両側に誘導部６１が形成されているから、この拡開部４２Ａを目安として、この拡開部４２Ａに雄部材Ａの脚部２０を差し込めば、脚部２０の係合部２５を拡開部４２Ａの両側に形成された誘導部６１によって拡開部４２Ａの中央に形成されたガイド溝４７まで誘導させることができる。
【００３７】
しかも、差込口４２において誘導部６１が形成された部分、つまり、差込口４２の左右両側部分は、差込口４２の中央部分よりも雌部材Ｂの表裏方向の厚みが厚くなっている。この厚肉となった部分はガイド溝４７の両側に沿って雌部材Ｂの内部に向けて延びているため、雌部材Ｂの左右両側に形成した開口部４５の周辺部分の肉厚も厚くなり、開口部４５の周辺部分が補強され、強度を高めることができる利点がある。
【００３８】
なお、雄部材Ａを雌部材Ｂから外すには、雌部材Ｂの脚部用開口部４５から突出している脚部２０を内側へ押圧すると、雄部材Ａの脚部２０が内側に弾性変形される。
すると、係合部２５が被係合部４６から外れるから、この状態において、雄部材Ａを雌部材Ｂから引き抜くと、雄部材Ａを雌部材Ｂから外すことができる。
【００３９】
＜第２実施形態＞
図７は第２実施形態のバックルの分離状態を示す分解斜視図、図８は同バックルの分離状態を示す一部破断の平面図、図９は図８のIX−IX線断面図、図１０は同バックルの係合状態を示す一部破断の平面図、図１１は雌部材に対して雄部材が傾いて差し込まれる状態を示す斜視図、図１２は図１１の状態を示す一部破断の平面図である。なお、これらの図の説明にあたって、第１実施形態と同一構成要素については、同一符号を付し、その説明を省略もしくは簡略化する。
【００４０】
（構成）
第２実施形態のバックルは、雄部材Ａにおいて、突出部１４、脚部２０および係合部２５の形状が、また、雌部材Ｂにおいて、拡開部４２Ａおよび被係合部４６の形状が、第１実施形態とはそれぞれ異なる。
【００４１】
第２実施形態における突出部１４は、枠フレーム１２のうち脚部２０が設けられた枠材１２Ａが、脚部２０の突出方向へ突出する形状に湾曲形成されている。つまり、枠材１２Ａの両端部よりも中央部が脚部２０の突出方向へ向かって突出した略Ｖ字状に形成されている。
【００４２】
第２実施形態における脚部２０は、中央のガイド脚片２２が省略され、一対のガイド脚片２２の内側面間は、弾性を有する連結帯２３によって連結されている。連結帯２３は、枠材１２Ａへ接近する方向へ凸状に湾曲した逆Ｕ字形状を呈し、一対のガイド脚片２２が所定以上外側へ変形するのを阻止し、脚部２０に過度の引張力（外側への引張力）が加わった時に脚部２０の破損を防止する役目を果たす。
【００４３】
第２実施形態における係合部２５は、一対の脚部２０のガイド脚片２２の先端表裏面に突出して形成された略五角形状の突起２５Ａによって形成されている。
【００４４】
第２実施形態における拡開部４２Ａは、差込口４２を形成する表壁４０Ａおよび裏壁４０Ｂの中央部分が内部へ向かって略Ｖ字状に窪んだ形状に形成されている。第２実施形態でも、拡開部４２Ａの中央位置にガイド溝４７が開口し、ガイド溝４７を挟んだ両側位置に誘導部６１が設けられているから、第２実施形態における誘導部６１は、差込口４２からガイド溝４７へ向かうに従って次第に狭くなるテーパ形状に形成されている。
第２実施形態における被係合部４６は、各係合部２５に対応して略五角形状の凹部４６Ａとして形成されている。表壁４０Ａに形成された凹部４６Ａと裏壁４０Ｂに形成された凹部４６Ａとは、それぞれ表壁４０Ａ、裏壁４０Ｂの外表面に開口されている。
【００４５】
（作用・効果）
第２実施形態のバックルにおいても、第１実施形態で述べたのと同様な作用効果が期待できる。
すなわち、雄部材Ａを雌部材Ｂの差込口４２から収容空間４３内に差し込む際、雌部材Ｂの軸線（ガイド溝４７が延びる方向の軸線）に対して、雄部材Ａの差込方向がずれていると、例えば、図１１に示すように、雄部材Ａの差込方向が傾いていると、雄部材Ａの係合部２５が雌部材Ｂのガイド溝４７に一致しない。
【００４６】
このような状態では、雄部材Ａの一対の脚部２０の先端表裏面に突出して設けられた係合部２５が、雌部材Ｂの差込口４２に形成された誘導部６１に当接される。すると、この誘導部６１によって、係合部２５が雌部材Ｂのガイド溝４７に誘導される。つまり、雌部材Ｂの軸線に対して、雄部材Ａの差込方向が一致するように、雄部材Ａの姿勢が矯正されるから、このまま雄部材Ａを雌部材Ｂに差し込んでいけば、係合部２５は、ガイド溝４７によって被係合部４６まで案内され、その被係合部４６に係合される。従って、雌部材Ｂの軸線に対して、雄部材Ａの差込方向がずれていても、雄部材Ａを雌部材Ｂに対して、途中でつかえることなく確実に差込操作できる。
【００４７】
＜変形例の説明＞
なお、本発明は、上記実施形態で説明した構造のバックルに限定されるものでなく、次のような変形例も含む。
【００４８】
上記実施形態では、雌部材Ｂの表壁４０Ａおよび裏壁４０Ｂの差込口４２側に、円弧状またはＶ字状に窪んだ拡開部４２Ａを形成し、この拡開部４２Ａの中央位置にガイド溝４７を開口し、かつ、両側に誘導部６１を形成したが、拡開部４２Ａについては、必ずしも設けなくてもよい。つまり、雌部材Ｂの差込口４２に誘導部６１が形成されていればよい。このようにすれば、つまり、雌部材Ｂに拡開部４２Ａを形成しなければ、雌部材Ｂの強度を高めることができる。
【００４９】
また、誘導部６１の形状についても、上記各実施形態で述べた拡開部４２Ａの円弧形状の一部を構成する形状、あるいは、Ｖ字状の一部を構成するテーパ形状に限らず、他の形状でもよい。要するに、雄部材Ａと係合部２５が当接し、雄部材Ａの押し込み力によって、当接した係合部２５をガイド溝４７へ案内できる形状であれば、どのような形状であってもよい。
【００５０】
上記実施形態では、雄部材Ａおよび雌部材Ｂにそれぞれ紐取付部、つまり、紐取付孔１１を有する枠フレーム１２や紐取付部４１を形成したが、雌部材Ｂについては、紐取付部４１がなくてもよい。つまり、雌部材Ｂの雌部材本体４０を直接他の部材に固定するようにしてもよい。
また、雌部材Ｂの射出成形時に、紐状部材の端部を雌部材本体４０の紐取付部４１に一体的に固定するようにしてもよい。つまり、紐状部材の端部を雌部材Ｂの射出成形時にインサート成形して一体成形するようにしてもよい。
【００５１】
また、紐状部材としては、帯状のベルトに限らず、幅がない細い紐、例えば、丸紐などであってもよい。この際、雄部材Ａまたは雌部材Ｂに細紐（丸紐）などが通る程度の紐挿通孔を形成し、この紐挿通孔に細紐（丸紐）を挿通して紐挿通孔から突出した細紐（丸紐）の先端に結び目を作って、抜け止めするようにしてもよい。
【００５２】
以上、本発明に関して、好適な実施形態および各種の変形例を挙げたが、これらを適宜組み合わせて構成してもよいことは言うまでもない。
【産業上の利用可能性】
【００５３】
本発明は、例えば、バッグ類のベルトの連結、離脱用のバックルとして好適であるが、その他どのような用途にも使用可能である。
【図面の簡単な説明】
【００５４】
【図１】本発明の第１実施形態のバックルの分離状態を示す分解斜視図。
【図２】前記第１実施形態においいて、バックルの分離状態を示す一部破断の平面図。
【図３】図２のIII−III線断面図。
【図４】前記第１実施形態において、バックルの係合状態を示す一部破断の平面図。
【図５】前記第１実施形態において、雄部材が雌部材に差し込まれる際の斜視図。
【図６】図５の状態を示す一部破断の平面図。
【図７】本発明の第２実施形態のバックルを示す分解斜視図。
【図８】前記第２実施形態において、バックルの分離状態を示す一部破断の平面図。
【図９】図８のIX−IX線断面図。
【図１０】前記第２実施形態において、バックルの係合状態を示す一部破断の平面図。
【図１１】前記２実施形態において、雄部材が雌部材に差し込まれる際の斜視図。
【図１２】図１１の状態を示す一部破断の平面図。
【符号の説明】
【００５５】
１…バックル、１４…突出部、２０…脚部、２５…係合部、４０…雌部材本体、４０Ａ…表壁、４０Ｂ…裏壁、４０Ｃ…側壁、４２…差込口、４２Ａ…拡開部、４３…収容空間、４６…被係合部、４７…ガイド溝、６１…誘導部、Ａ…雄部材、Ｂ…雌部材。
【図１】
0005020004.tif 000002
【図２】
0005020004.tif 000003
【図３】
0005020004.tif 000004
【図４】
0005020004.tif 000005
【図５】
0005020004.tif 000006
【図６】
0005020004.tif 000007
【図７】
0005020004.tif 000008
【図８】
0005020004.tif 000009
【図９】
0005020004.tif 000010
【図１０】
0005020004.tif 000011
【図１１】
0005020004.tif 000012
【図１２】
0005020004.tif 000013